(57)【要約】  船舶を容易に管理できる管理システムおよび管理方法を提供する。管理システム（１）は、移動端末（１０）と複数の基地局（５０）と管理装置（１００）とを有する。移動端末は、短波を用いて該移動端末の識別情報を含む管理情報を送信する通信部（１１）を有する。複数の基地局は、移動端末から送信された管理情報を受信して管理装置に送信する通信部（５１）を有する。管理装置は、複数の基地局のいずれか１つ以上から送信された管理情報を受信する受信部（１３１）と、受信した管理情報から移動端末の識別情報を特定する特定部（１３２）とを有する。管理装置は、移動端末の識別情報と該移動端末が所属する管理組織の端末（８０）の識別情報が記憶された記憶部（１２１）を参照して、特定した移動端末の識別情報に基づいて、移動端末が所属する管理組織の端末の識別情報に対応する管理組織の端末宛に管理情報を送信する送信部（１３３）を有する。
2015151217.tif 000002
【特許請求の範囲】
【請求項１】
移動端末と、複数の基地局と、管理装置とを有する管理システムにおいて、
前記移動端末は、短波を用いて該移動端末の識別情報を含む管理情報を送信する通信部を有し、
前記複数の基地局は、前記移動端末から送信された前記管理情報を受信して、前記管理装置に送信する通信部を有し、
前記管理装置は、
前記複数の基地局のいずれか１つ以上の基地局から送信された前記管理情報を受信する受信部と、
受信した前記管理情報から前記移動端末の識別情報を特定する特定部と、
移動端末の識別情報と該移動端末が所属する管理組織の端末の識別情報が記憶された記憶部を参照して、特定した前記移動端末の識別情報に基づいて、前記移動端末が所属する前記管理組織の端末の識別情報に対応する前記管理組織の端末宛に前記管理情報を送信する送信部と
を有することを特徴とする管理システム。
【請求項２】
前記移動端末はデジタル値にて管理情報を生成する制御部と、前記デジタル値を短波の周波数帯で送信するためのアナログ波形に変換する変換部と、をさらに有し、
前記通信部は、前記変換部にてアナログ波形に変換された管理情報を送信する
ことを特徴とする請求項１記載の管理システム。
【請求項３】
前記複数の基地局のそれぞれの基地局は、短波の周波数帯で送信されたアナログ波形を受信すると、デジタル値に変換する変換部を有する
ことを特徴とする請求項１または請求項２記載の管理システム。
【請求項４】
前記複数の基地局のそれぞれの基地局は、共通の短波の周波数の無線信号を受信可能に設定されていることを特徴とする請求項１乃至請求項３のいずれかに記載の管理システム。
【請求項５】
前記複数の基地局のそれぞれの基地局は複数の受信機を備え、前記共通の周波数が複数設定されている場合に、該複数の受信機のそれぞれは、該複数設定された該共通の短波の周波数のうちのいずれかの周波数の無線信号を受信するように設定されていることを特徴とする請求項１乃至請求項４のいずれかに記載の管理システム。
【請求項６】
前記管理情報は、前記移動端末の位置情報を含むことを特徴とする請求項１乃至請求項５のいずれかに記載の管理システム。
【請求項７】
前記移動端末は、前記管理情報が前記移動端末の位置情報を含む場合に、前記位置情報の一部を暗号化した管理情報を送信することを特徴とする請求項１乃至請求項６のいずれかに記載の管理システム。
【請求項８】
前記管理装置は、受信した前記管理情報に含まれる識別情報と所定時間の範囲内に前記管理組織の端末に送信済みの管理情報に含まれる識別情報とが同一である場合には、受信した前記管理情報を前記管理組織の端末に送信しない制御を実行することを特徴とする請求項１乃至請求項７のいずれかに記載の管理システム。
【請求項９】
前記管理装置は、前記移動端末識別情報に対応付けられた関係者の連絡先情報が記憶された前記記憶部を参照して、前記特定した識別情報に対応する前記移動端末の前記関係者に対して、前記管理情報を受信したことを示す受信情報を送信することを特徴とする請求項１乃至請求項８のいずれかに記載の管理システム。
【請求項１０】
前記移動端末は船舶に設置されることを特徴とする請求項１乃至請求項９のいずれかに記載の管理システム。
【請求項１１】
前記移動端末の通信部は、前記移動端末の位置および管理情報を送信する時間帯のいずれか１つ以上に応じて前記短波の周波数を決定することを特徴とする請求項１乃至請求項１０のいずれかに記載の管理システム。
【請求項１２】
移動端末が有する通信部から短波を用いて送信された該移動端末の識別情報を含む管理情報を受信した複数の基地局のいずれか１つ以上から送信された前記管理情報を受信し、
受信した前記管理情報から前記移動端末の識別情報を特定し、
移動端末の識別情報と該移動端末が所属する管理組織の端末の識別情報が記憶された記憶部を参照して、特定した前記移動端末の識別情報に基づいて、前記移動端末が所属する前記管理組織の端末の識別情報に対応する前記管理組織の端末宛に前記管理情報を送信する
処理をコンピュータが実行することを特徴とする管理方法。
【請求項１３】
第１のネットワークを用いて、同一周波数の短波を受信可能に設定する複数の基地局と、
前記第１のネットワークとは異なる第２のネットワークを用いて、前記複数の基地局の内、少なくとも一つの基地局から送信された情報を受信する情報処理装置と
を含む管理システム。
【発明の詳細な説明】
【技術分野】
【０００１】
本発明は、管理システムおよび管理方法に関する。
【背景技術】
【０００２】
現在、世界的に総トン数２０トン以上の船舶は無線通信システムとして、ＧＭＤＳＳ（Global  Maritime  Distress  and  Safety  System）を設置することが義務付けられている。しかしながら、ＧＭＤＳＳは高価なため、総トン数２０トン未満の漁船については、漁船を管轄する漁業無線協会に対して漁業無線を用いて１日３回の位置情報の報告を口頭で行う「みなしＧＭＤＳＳ」により、ＧＭＤＳＳの設置が免除されている。
【先行技術文献】
【特許文献】
【０００３】
【特許文献１】特開２００１−２８３１４５号公報
【特許文献２】特開２００８−００９８４６号公報
【非特許文献】
【０００４】
【非特許文献１】“海上で利用する無線システム”、［Online］，［平成２６年３月５日検索］、インターネット＜http://www.soumu.go.jp/soutsu/tokai/musen/kaijou/>
【非特許文献２】“GMDSS  MASTER  PLAN”、［Online］，［平成２６年３月４日検索］、インターネット＜http://www.imo.org/blast/blastDataHelper.asp?data＿id=30623&filename=13.pdf＞
【発明の概要】
【発明が解決しようとする課題】
【０００５】
しかしながら、みなしＧＭＤＳＳでは、多数の漁船からの報告を２４時間体制で受け付けるため、漁業無線協会の業務が過酷な労働条件となる。また、漁業無線は、例えば短波帯を用いたＳＳＢ（Single  Side  Band）等の音声通信であるため、電離層の状態により受信状況が大きく変動し、通信が困難となる場合がある。このため、漁船と連絡が取れなくなり、漁業無線協会は漁船の状況を把握できず、漁船の管理が困難となる。なお、みなしＧＭＤＳＳに限られず、陸上と船舶との間で通信を行う場合には、同様に通信が困難となる場合があり、船舶の管理が困難となる。【０００６】
一つの側面では、本発明は、船舶を容易に管理できる管理システムおよび管理方法を提供することにある。
【課題を解決するための手段】
【０００７】
一つの態様では、管理システムは、移動端末と、複数の基地局と、管理装置とを有する。前記移動端末は、短波を用いて該移動端末の識別情報を含む管理情報を送信する通信部を有する。前記複数の基地局は、前記移動端末から送信された前記管理情報を受信して、前記管理装置に送信する通信部を有する。前記管理装置は、前記複数の基地局のいずれか１つ以上の基地局から送信された前記管理情報を受信する受信部と、受信した前記管理情報から前記移動端末の識別情報を特定する特定部とを有する。また、前記管理装置は、移動端末の識別情報と該移動端末が所属する管理組織の端末の識別情報が記憶された記憶部を参照して、特定した前記移動端末の識別情報に基づいて、前記移動端末が所属する前記管理組織の端末の識別情報に対応する前記管理組織の端末宛に前記管理情報を送信する送信部を有する。
【発明の効果】
【０００８】
船舶を容易に管理できる。
【図面の簡単な説明】
【０００９】
【図１】図１は、実施例の管理システムの構成の一例を示すブロック図である。
【図２】図２は、伝文フォーマットの一例を示す説明図である。
【図３】図３は、管理情報記憶部の一例を示す説明図である。
【図４】図４は、実施例の管理システムの動作の一例を示すシーケンス図である。
【図５】図５は、管理プログラムを実行するコンピュータの一例を示す説明図である。
【発明を実施するための形態】
【００１０】
以下、図面に基づいて、本願の開示する管理システムおよび管理方法の実施例を詳細に説明する。なお、本実施例により、開示技術が限定されるものではない。また、以下の実施例は、矛盾しない範囲で適宜組みあわせてもよい。
【実施例】
【００１１】
図１は、実施例の管理システムの構成の一例を示すブロック図である。図１に示す管理システム１は、移動端末１０と、複数の基地局５０と、端末装置８０と、管理装置１００とを有する。なお、図１には、システムが１つの移動端末１０を有する場合を示したが、移動端末１０の数は限定されず、管理システム１は、任意の数の移動端末１０を有してもよい。【００１２】
移動端末１０および複数の基地局５０の間は、電離層Ｌの反射を利用した短波帯の電波により相互に通信可能に接続される。また、複数の基地局５０、端末装置８０および管理装置１００の間は、ネットワークＮを介して相互に通信可能に接続される。かかるネットワークＮには、有線または無線を問わず、インターネット（Internet）を始め、ＬＡＮ（Local  Area  Network）やＶＰＮ（Virtual  Private  Network）などの任意の種類の通信網を採用できる。【００１３】
ここで、管理システム１の概要について説明する。なお、以下の説明では、船舶の一例として漁船の場合について説明する。管理システム１は、例えば、移動端末１０が遠洋、例えば、沿岸から２００海里以上離れた海域で操業する漁船に設置され、基地局５０および端末装置８０が漁港の近隣に設けられた漁業無線協会７０に設置される。また、管理システム１は、例えば、データセンタ等のクラウド上に管理装置１００を設け、各基地局５０および端末装置８０とネットワークＮを介して接続されている。また、図１の例では、基地局５０−１が例えば北海道に設置され、基地局５０−２が例えば沖縄に設置される。なお、図１では、簡略のために漁業無線協会７０は１つとし、漁業無線協会７０内に基地局５０−２および端末装置８０が設置される場合を示したが、これに限定されない。基地局５０は、単独で設置されてもよいし、他の漁業無線協会７０内に設けられてもよい。同様に、端末装置８０は、他の漁業無線協会７０内に当該漁業無線協会７０の端末装置８０として設置される。【００１４】
移動端末１０が設置された漁船は、例えば、みなしＧＭＤＳＳのために、１日に３回以上、自船の位置を示す位置情報を含む管理情報を、短波帯の無線機を用いて複数の基地局５０のいずれか１つ以上に対して送信する。移動端末１０から送信された電波は、電離層Ｌで反射し、見通し距離外にある基地局５０のうち、いずれか１つ以上の基地局５０に到達する。電波が到達した基地局５０は、移動端末１０から送信された電波を受信して管理情報を取得すると、取得した管理情報を、ネットワークＮを介して管理装置１００に送信する。ここで、移動端末１０から送信された電波は、例えば、当該移動端末１０が設置された漁船が所属する漁業無線協会７０とは異なる漁業無線協会７０の基地局５０で受信されたものとする。【００１５】
管理装置１００は、管理情報を受信すると管理情報から移動端末１０の識別情報、すなわち当該移動端末１０が設置された漁船の識別情報を特定する。管理装置１００は、後述する管理情報記憶部１２１を参照して、当該漁船が所属する漁業無線協会７０に設置された端末装置８０に対して管理情報を送信する。これにより、管理装置１００は、所属する漁業無線協会７０と短波帯の電波で直接交信ができない漁船の管理情報を、所属する漁業無線協会７０に送信できるので、遠洋の漁船を容易に管理できる。【００１６】
続いて、管理システム１を構成する各構成要素について説明する。移動端末１０は、通信部１１と、記憶部１２と、測位部１３と、表示操作部１４と、制御部１５とを有する。なお、移動端末１０は、図１に示す機能部以外にも既知のコンピュータが有する各種の機能部、例えば各種の入力デバイスや音声出力デバイスなどの機能部を有することとしてもかまわない。移動端末１０の一例としては、タブレット端末、可搬型のパーソナルコンピュータ等を採用できる。なお、移動端末１０は、管理情報を短波を用いて送信する発信機である。【００１７】
通信部１１は、例えば、中波から短波帯の無線機等によって実現される。通信部１１は、電離層Ｌを介して複数の基地局５０のいずれか１つ以上と無線で接続され、基地局５０およびネットワークＮを介して、管理装置１００との間で情報の通信を司る通信インタフェースである。通信部１１は、制御部１５から入力された管理情報を基地局５０に向けて送信する。また、通信部１１は、基地局５０から送信された電波を受信して各種情報を取得する。【００１８】
通信部１１は、中波から短波帯の電波として、例えば、２ＭＨｚ帯、４ＭＨｚ帯、８ＭＨｚ帯、１２ＭＨｚ帯、および、１６ＭＨｚ帯のうち１つ以上の周波数帯域を用いることができる。通信部１１は、例えば、移動端末１０の操作者によって陸地との距離および時間帯に応じて選択された周波数帯域を用いる。これは、中波および短波帯の電波の伝搬状況が、太陽活動や昼夜によって状態が異なる電離層の影響を受けるためである。なお、周波数の選択は、測位部１３で測位して取得した位置情報に基づいて、代表的な基地局５０までの距離を算出し、算出した距離、季節および時刻に応じて各周波数の重み付けを行い、より到達可能性の高い周波数を選択するようにしてもよい。また、周波数の選択は、各周波数帯域のバンド特性を考慮して選択する。【００１９】
通信部１１は、変調方式として、例えば、ＰＳＫ（Phase  Shift  Keying）、ＦＳＫ（Frequency  Shift  Keying）等のデジタル変調を用いることができる。また、通信部１１は、周波数が低い帯域では、例えば、ＰＳＫ３１等の変調方式を用いることができる。例えば、ＰＳＫ３１は、通信速度が３１ボーと低速であるが、専有帯域が狭く、主にテキストデータを通信する短波帯でのデータ通信に適している。なお、通信部１１は、制御部１５との接続方法として、例えば、通信部１１の制御にはＲＳ−２３２Ｃを用いたシリアル通信を用いて、管理情報等のデータの授受には、音声入出力端子を用いて変調信号を入出力することができる。なお、船舶に搭載されている既存の無線機を使用する場合、短波の周波数帯でのデジタル変調を行うための変調装置を別途設置することが可能である。この場合、制御部１５から出力されたデジタル情報を取得すると、デジタル情報をアナログ波形に変調して、無線機に出力する。【００２０】
記憶部１２は、例えば、ＲＡＭ（Random  Access  Memory）、フラッシュメモリ（Flash  Memory）等の半導体メモリ素子、ハードディスクや光ディスク等の記憶装置によって実現される。記憶部１２は、管理情報に含める各種情報、制御部１５での処理に用いる情報等を記憶する。【００２１】
測位部１３は、衛星測位システムの信号を受信する。測位部１３は、衛星測位システムとして、ＧＰＳ（Global  Positioning  System）、ＧＬＯＮＡＳＳ（Global  Navigation  Satellite  System）、ガリレオ、および、コンパス等の全地球航法衛星システムの信号を受信して測位を行う。測位部１３は、制御部１５から測位を要求されると測位を行なって、測位結果をＷＧＳ（World  Geodetic  System）８４等の測地系に基づいた位置情報として出力する。また、測位部１３は、制御部１５から連続して測位を続けるように要求されると、連続して測位を行なって、制御部１５から停止を要求されるまで位置情報の出力を続ける。なお、測位部１３は、衛星測位システムとして、準天頂衛星システム、インド地域航法衛星システム、ＤＯＲＩＳ（Doppler  Orbitography  and  Radio-positioning  Integrated  by  Satellite）、および、北斗等の地域航法衛星システムの信号を受信してもよい。【００２２】
表示操作部１４は、各種情報を表示するための表示デバイス、および、ユーザから各種操作を受け付ける入力デバイスである。例えば、表示操作部１４は、表示デバイスとして液晶ディスプレイ等によって実現される。また、例えば、表示操作部１４は、入力デバイスとして、タッチパネル等によって実現される。つまり、表示操作部１４は、表示デバイスと入力デバイスとが一体化される。また、表示操作部１４は、ユーザインタフェースとして、例えば、画面下部にキーボードを表示して、キー入力を受け付ける。表示操作部１４は、ユーザによって入力された操作を操作情報として、制御部１５に出力する。【００２３】
制御部１５は、例えば、ＣＰＵ（Central  Processing  Unit）やＭＰＵ（Micro  Processing  Unit）等によって、内部の記憶装置に記憶されているプログラムがＲＡＭを作業領域として実行されることにより実現される。また、制御部１５は、例えば、ＡＳＩＣ（Application  Specific  Integrated  Circuit）やＦＰＧＡ（Field  Programmable  Gate  Array）等の集積回路により実現されるようにしてもよい。制御部１５は、移動端末１０全体を制御する。また、制御部１５は、例えば、みなしＧＭＤＳＳのために、１日３回以上、測位部１３から位置情報を取得して、取得した位置情報を含む管理情報を、通信部１１を介して基地局５０に対して送信する。【００２４】
制御部１５は、測位部１３に対して測位を要求する。制御部１５は、測位の要求として、１回のみの測位の要求と、連続して測位を続ける要求とのいずれかを測位部１３に対して出力する。制御部１５は、測位部１３から測位の要求に応じた位置情報が入力されると、当該位置情報を伝文フォーマットに挿入して管理情報である伝文を生成する。制御部１５は、生成した伝文、すなわち管理情報を通信部１１に出力する。なお、制御部１５は、位置情報の一部を、移動端末１０が設置された漁船が所属する漁業無線協会７０内の端末装置８０でのみ復号化できるように暗号化してもよい。【００２５】
図２は、伝文フォーマットの一例を示す説明図である。図２に示すように、例えば伝文フォーマット２１は、「Char  code」、「format  ver」、「Message  Type」、「name  of  a  vessel」、「Call  Sign」、「nationality」、「prefectures」、「Geographic  Point  Location」、「Parity」といった項目を有する。なお、図２の伝文フォーマット２１は、例えば、１マスが１バイトである。また、図２に示す伝文フォーマット２１の長さは、一例として１０４バイトであるが、これに限定されず、任意の長さとすることができる。さらに、伝文フォーマット２１は、項目として、他にも回送すべき無線協会のコード、位置情報の一部をマスクする、つまり暗号化するレベルを示す位置情報マスクレベル等を設けてもよい。【００２６】
「Char  code」は、文字コード系を示す。「format  ver」は、伝文フォーマット２１のバーションを示し、フォーマット変更に対応するための項目である。「Message  Type」は、メッセージタイプを示し、例えば、自動、手動、要求送信、緊急といったメッセージの種別を表す。「name  of  a  vessel」は、移動端末１０が設置された漁船の船名または識別情報を表す。なお、「name  of  a  vessel」は、文字数に余裕があれば、漁船の船名と識別情報とを表すようにしてもよい。「Call  Sign」は、確実な識別のための無線局のコールサインを表す。「nationality」は、「nationality  registration」を省略したものであり、船籍国コードを示す。「prefectures」は、所属都道府県を表す。「Geographic  Point  Location」は、位置情報を示し、例えば、測位系と緯度と経度とを表す。「Parity」は、メッセージの完全受信を確認するためのパリティである。【００２７】
図１の説明に戻って、基地局５０は、通信部５１と、制御部５２とを有する。基地局５０は、例えば、周波数帯域ごとにそれぞれ無線機を有し、各無線機には図示しないアンテナがそれぞれ接続され、各周波数帯域で同時に複数の漁船に設置された移動端末１０と通信することができる。【００２８】
通信部５１は、例えば、中波から短波帯の無線機等によって実現される。また、通信部５１は、ネットワークＮを介して管理装置１００との間で通信を行うために、例えば、ＮＩＣ（Network  Interface  Card）等によって実現される。通信部５１は、電離層Ｌを介して複数の移動端末１０のいずれか１つ以上と無線で接続され、ネットワークＮを介して管理装置１００と接続される。つまり、通信部５１は、移動端末１０と基地局５０との間、および、基地局５０と管理装置１００との間で情報の通信を司る通信インタフェースである。すなわち、基地局５０は、移動端末１０と管理装置１００との通信を中継する。通信部５１は、ネットワークＮとの接続を有線または無線により行う。【００２９】
通信部５１は、例えば、中波から短波帯の無線機として、複数の無線機、例えば、２ＭＨｚ帯、４ＭＨｚ帯、８ＭＨｚ帯、１２ＭＨｚ帯、および、１６ＭＨｚ帯に対応する５台の無線機を用いて、移動端末１０から送信された電波を受信する。通信部５１は、複数の移動端末１０から送信された、それぞれ異なる周波数の電波を用いた無線信号を、対応する周波数の複数の無線機で受信する。なお、使用される周波数帯は、移動端末１０が設置される漁船の位置および時間帯のいずれか１つ以上に応じて決定される。また、通信部５１は、変調方式として、移動端末１０の通信部１１と同様の変調方式を用いる。また、通信部５１は、制御部５２との接続も移動端末１０と同様に、ＲＳ−２３２Ｃを用いたシリアル通信と、音声入出力端子を用いたデータ通信とを用いることができる。なお、基地局に設置されている既存の無線機を使用する場合、短波の周波数帯でのデジタル変調を行うための変調装置を別途設置することが可能である。この場合、無線機が受信したアナログ波形を取得すると、アナログ波形をデジタル情報に変換して、制御部５２に出力する。【００３０】
通信部５１は、受信した電波から管理情報を抽出し、制御部５２に出力する。また、通信部５１は、抽出した管理情報を、ＮＩＣを用いてネットワークＮを介して管理装置１００に送信する。【００３１】
制御部５２は、基地局５０の全体を制御する。制御部５２は、通信部５１から管理情報が入力されると、例えば、図示しない表示部に管理情報を受信した旨を表示させる。制御部５２は、例えば、基地局５０の制御用のコンピュータであり、例えば、組込型のコンピュータでもよいし、据置型のパーソナルコンピュータ等であってもよい。【００３２】
端末装置８０は、例えば、漁業無線協会７０に設置され、管理装置１００から当該漁業無線協会７０に所属する漁船の移動端末１０から送信された管理情報の提供を受けるコンピュータである。かかる端末装置８０の一例としては、パーソナルコンピュータを採用できる。端末装置８０には、上記のパーソナルコンピュータなどの据置き型の端末のみならず、各種の携帯端末装置を端末装置８０として採用することもできる。端末装置８０は、ネットワークＮを介して管理装置１００から受信した管理情報を、図示しない記憶部に蓄積して記憶する。また、端末装置８０は、例えば、漁業無線協会７０に所属する漁船を管理する。端末装置８０は、漁船の管理情報として、例えば、漁船の識別情報、船長、出港日時、出漁海域、帰港予定日時等を管理する。【００３３】
管理装置１００は、通信部１１０と、記憶部１２０と、制御部１３０とを有する。管理装置１００は、図１に示す機能部以外にも既知のコンピュータが有する各種の機能部、例えば各種の入力デバイスや音声出力デバイスなどの機能部を有することとしてもかまわない。また、管理装置１００は、いわゆるクラウド上に構成され、自由に拡張や構成の変更が可能なようにしてもよい。【００３４】
通信部１１０は、例えば、ＮＩＣ等によって実現される。通信部１１０は、ネットワークＮを介して基地局５０と有線または無線で接続され、基地局５０との間で情報の通信を司る通信インタフェースである。通信部１１０は、基地局５０から管理情報を受信する。通信部１１０は、受信した管理情報を制御部１３０に出力する。また、通信部１１０は、制御部１３０から移動端末１０の識別情報が特定された管理情報が入力される。通信部１１０は、入力された特定された管理情報を、当該管理情報に対応する管理組織、すなわち当該管理情報を送信した移動端末１０が設置された漁船が所属する漁業無線協会７０の端末装置８０に対して送信する。【００３５】
記憶部１２０は、例えば、ＲＡＭ、フラッシュメモリ等の半導体メモリ素子、ハードディスクや光ディスク等の記憶装置によって実現される。記憶部１２０は、管理情報記憶部１２１を有する。また、記憶部１２０は、制御部１３０での処理に用いる情報を記憶する。【００３６】
管理情報記憶部１２１は、漁船の識別情報と、所属する管理組織と、所属する漁港と、連絡先情報とを対応付けて記憶する。図３は、管理情報記憶部の一例を示す説明図である。図３に示すように、管理情報記憶部１２１は、「識別情報」、「所属する管理組織」、「所属する漁港」、「連絡先情報１」、「連絡先情報２」といった項目を有する。【００３７】
「識別情報」は、例えば、漁船登録番号であり漁船を識別する。「所属する管理組織」は、漁船が所属する管理組織、例えば、漁業無線協会等を示す。「所属する漁港」は、漁船が所属する漁港を示す。漁船が所属する漁港は、例えば、漁船が所属する漁業協同組合に対応する。「連絡先情報１」および「連絡先情報２」は、例えば、漁船の船長の家族についての、連絡先電話番号や連絡先メールアドレス等を示す。【００３８】
図１の説明に戻って、制御部１３０は、例えば、ＣＰＵやＭＰＵ等によって、内部の記憶装置に記憶されているプログラムがＲＡＭを作業領域として実行されることにより実現される。また、制御部１３０は、例えば、ＡＳＩＣやＦＰＧＡ等の集積回路により実現されるようにしてもよい。制御部１３０は、受信制御部１３１と、特定部１３２と、送信制御部１３３とを有し、以下に説明する情報処理の機能や作用を実現または実行する。なお、制御部１３０の内部構成は、図１に示した構成に限られず、後述する情報処理を行う構成であれば他の構成であってもよい。【００３９】
受信制御部１３１は、通信部１１０およびネットワークＮを介して、複数の基地局５０から管理情報を受信する。受信制御部１３１は、管理情報として、例えば、ある移動端末１０から所定時間以上の間隔で送信された管理情報を受信する。ここで、所定時間は、例えば、３時間とすることができる。受信制御部１３１は、例えば、移動端末１０が６時間間隔で管理情報を送信する場合に、厳密に６時間間隔ではなく、多少の時間間隔の前後があっても許容するためである。なお、受信制御部１３１は、移動端末１０から所定時間未満の間隔で送信された管理情報は、受信してもよいし、受信せず放置してもよい。受信制御部１３１は、電波の伝搬状況によっては、複数の基地局５０から、同一の移動端末１０から送信された管理情報を受信する。受信制御部１３１は、受信した管理情報を特定部１３２に出力する。【００４０】
特定部１３２は、受信制御部１３１から管理情報が入力されると、伝文フォーマット２１に基づいて、受信した管理情報から移動端末１０の識別情報を特定する。なお、識別情報は、漁船を識別する漁船登録番号を用いてもよいし、移動端末１０の無線局に割り当てられているコールサインを用いてもよい。特定部１３２は、受信した管理情報と、特定した識別情報とを対応付けて、送信制御部１３３に出力する。【００４１】
送信制御部１３３は、特定部１３２から管理情報および対応付けられた識別情報が入力されると、管理情報記憶部１２１を参照し、識別情報に基づいて、移動端末１０が所属する管理組織を特定する。すなわち、送信制御部１３３は、識別情報に基づいて、移動端末１０が設置された漁船が所属する漁業無線協会７０を特定する。送信制御部１３３は、管理情報を、特定した漁業無線協会７０の端末装置８０に対して、通信部１１０およびネットワークＮを介して送信する。【００４２】
送信制御部１３３は、特定部１３２から入力された管理情報の識別情報が、所定時間以内に既に漁業無線協会７０の端末装置８０に送信した管理情報の識別情報と同一である場合には、入力された管理情報および識別情報を破棄する。すなわち、送信制御部１３３は、入力された管理情報および識別情報が、複数の基地局５０で受信された２つ目以降の管理情報であるとして、漁業無線協会７０の端末装置８０に対して送信を行わない。【００４３】
送信制御部１３３は、管理情報に含まれる位置情報のうち、一部が暗号化されている場合には、位置情報を復号せずに一部が暗号化されたまま、当該管理情報を特定した漁業無線協会７０の端末装置８０に対して、通信部１１０およびネットワークＮを介して送信する。【００４４】
また、送信制御部１３３は、移動端末１０が設置された漁船の関係者の図示しない端末装置に対して、通信部１１０およびネットワークＮを介して、当該移動端末１０から送信された管理情報を受信したことを示す受信情報を送信する。送信制御部１３３は、例えば、管理情報記憶部１２１を参照して、当該関係者のメールアドレスを取得して、受信情報を電子メールとして送信する。受信情報には、管理情報を受信した旨のみとしてもよいし、例えば、位置情報等の他の情報を付加してもよい。【００４５】
また、送信制御部１３３は、管理情報に緊急情報を識別する情報が含まれる場合には、図示しない緊急情報に対応する組織、例えば、海上保安庁等に当該管理情報をただちに送信する。これにより、管理装置１００は、緊急を要する情報を速やかに対応可能な組織に送信することができる。【００４６】
次に、実施例の管理システム１の動作について説明する。なお、以下の説明では、管理システム１の動作の一例として、遠洋に出漁した漁船から、みなしＧＭＤＳＳを行う場合について説明する。また、以下の説明では、移動端末１０は基地局５０−２を有する漁業無線協会７０に所属し、移動端末１０から送信された電波は、基地局５０−２では受信できず、他の基地局５０−１で受信できた場合について説明する。【００４７】
図４は、実施例の管理システムの動作の一例を示すシーケンス図である。漁船に設置された移動端末１０の制御部１５は、例えば、予め定められた所定の時間になると、測位部１３に対して測位を要求する。制御部１５は、測位部１３から測位の要求に応じた位置情報が入力されると、当該位置情報を伝文フォーマットに挿入して管理情報を生成し、生成した管理情報を、通信部１１を介して複数の基地局５０に向けて送信する（ステップＳ１）。【００４８】
基地局５０−１の通信部５１は、移動端末１０から送信された電波を受信する。すなわち、通信部５１は、受信した電波に含まれる管理情報を受信する（ステップＳ２）。通信部５１は、受信した管理情報を、ネットワークＮを介して管理装置１００に送信する（ステップＳ３）。【００４９】
管理装置１００の受信制御部１３１は、通信部１１０およびネットワークＮを介して、基地局５０−１から管理情報を受信する（ステップＳ４）。受信制御部１３１は、受信した管理情報を特定部１３２に出力する。特定部１３２は、受信制御部１３１から管理情報が入力されると、伝文フォーマット２１に基づいて、受信した管理情報から移動端末１０の識別情報を特定する（ステップＳ５）。特定部１３２は、受信した管理情報と、特定した識別情報とを対応付けて、送信制御部１３３に出力する。【００５０】
送信制御部１３３は、特定部１３２から管理情報および対応付けられた識別情報が入力されると、管理情報記憶部１２１を参照し、識別情報に基づいて、移動端末１０が設置された漁船が所属する漁業無線協会７０を特定する。送信制御部１３３は、管理情報を、特定した漁業無線協会７０の端末装置８０に対して、通信部１１０およびネットワークＮを介して送信する（ステップＳ６）。【００５１】
端末装置８０は、ネットワークＮを介して管理装置１００から管理情報を受信する（ステップＳ７）。端末装置８０は、受信した管理情報を、記憶部に蓄積して記憶する（ステップＳ８）。また、端末装置８０は、例えば、所属する漁船の位置情報を地図上にプロットして、図示しない表示部に表示させて、端末装置８０の使用者に位置情報を提供する。これにより、移動端末１０が設置された漁船が所属する漁業無線協会７０の基地局５０−２で、当該移動端末１０から送信された管理情報を直接受信できなくても、移動端末１０が設置された漁船は、所属する漁業無線協会７０に伝文を伝えることができる。【００５２】
このように、管理システム１は、移動端末１０と、複数の基地局５０と、管理装置１００とを有する。移動端末１０は、短波を用いて該移動端末１０の識別情報を含む管理情報を送信する通信部１１を有する。複数の基地局５０は、移動端末１０から送信された管理情報を受信して、管理装置１００に送信する通信部５１を有する。管理装置１００は、複数の基地局５０のいずれか１つ以上の基地局５０から送信された管理情報を受信する受信制御部１３１と、受信した管理情報から移動端末１０の識別情報を特定する特定部１３２とを有する。また、管理装置１００は、移動端末１０の識別情報と該移動端末１０が所属する管理組織の端末装置８０の識別情報が記憶された管理情報記憶部１２１を参照して、特定した移動端末１０の識別情報に基づいて、移動端末１０が所属する管理組織の端末装置８０の識別情報に対応する管理組織の端末装置８０宛に管理情報を送信する送信制御部１３３を有する。その結果、船舶を容易に管理できる。【００５３】
また、管理システム１の移動端末１０はデジタル値にて管理情報を生成する制御部１５と、デジタル値を短波の周波数帯で送信するためのアナログ波形に変換する変調装置と、をさらに有し、通信部１１は、変調装置にてアナログ波形に変換された管理情報を送信する。その結果、通信部１１として既存の無線機を使用できる。【００５４】
また、管理システム１の複数の基地局５０のそれぞれの基地局５０は、短波の周波数帯で送信されたアナログ波形を受信すると、デジタル値に変換する変調装置を有する。その結果、通信部５１として既存の無線機を使用できる。【００５５】
また、管理システム１の複数の基地局５０のそれぞれの基地局５０は、共通の短波の周波数の無線信号を受信可能に設定されている。その結果、電波の伝搬状況によらず、船舶からの管理情報を受信できる。【００５６】
また、管理システム１の複数の基地局５０のそれぞれの基地局５０は複数の受信機を備え、共通の周波数が複数設定されている場合に、該複数の受信機のそれぞれは、該複数設定された該共通の短波の周波数のうちのいずれかの周波数の無線信号を受信するように設定されている。その結果、割り当て周波数の異なる移動端末１０のそれぞれに応じた無線信号を受信できる。【００５７】
また、管理システム１の管理情報は、移動端末１０の位置情報を含む。その結果、船舶の位置を把握することができ、船舶の位置を管理できる。【００５８】
また、管理システム１の移動端末１０は、管理情報が移動端末１０の位置情報を含む場合に、位置情報の一部を暗号化した管理情報を送信する。その結果、船舶が所属する管理組織以外の他の管理組織等に詳細な位置情報を秘匿できる。【００５９】
また、管理システム１の管理装置１００は、受信した管理情報に含まれる識別情報と所定時間の範囲内に管理組織の端末装置８０に送信済みの管理情報に含まれる識別情報とが同一である場合には、受信した管理情報を管理組織の端末装置８０に送信しない制御を実行する。その結果、同一の船舶からの位置情報の重複を防止できる。【００６０】
また、管理システム１の管理装置１００は、移動端末１０の識別情報に対応付けられた関係者の連絡先情報が記憶された記憶部を参照して、特定した識別情報に対応する移動端末１０の関係者に対して、管理情報を受信したことを示す受信情報を送信する。その結果、船舶の関係者に安否情報や位置情報を提供できる。【００６１】
また、管理システム１の移動端末１０は船舶に設置される。その結果、船舶を管理することができる。【００６２】
また、管理システム１の移動端末１０の通信部１１は、移動端末１０の位置および管理情報を送信する時間帯のいずれか１つ以上に応じて短波の周波数を決定する。その結果、電波の伝搬状況に応じて送信された管理情報を受信することができる。【００６３】
また、管理システム１は、第１のネットワークを用いて、同一周波数の短波を受信可能に設定する複数の基地局５０を含む。管理システム１は、第１のネットワークとは異なる第２のネットワークを用いて、複数の基地局５０の内、少なくとも一つの基地局５０から送信された情報を受信する情報処理装置１００を含む。その結果、情報処理装置１００は、いずれかの基地局５０で受信した短波の無線信号の情報を受信できる。【００６４】
なお、上記実施例では、管理装置１００から移動端末１０が設置された漁船の関係者に、受信情報を送信したが、これに限定されない。例えば、管理装置１００にＷｅｂサーバ機能を付加して、インターネット上のＷｅｂページに各漁船の位置情報をプロットした地図を表示させ、漁船の関係者が当該Ｗｅｂページにログインすることで、当該Ｗｅｂページを閲覧させるようにしてもよい。これにより、漁船の関係者は、地図上にプロットされた漁船の位置を見るので、より漁船の位置が把握しやすくなる。さらに、受信情報は、電話、ＦＡＸ等で漁船の関係者に送信するようにしてもよい。【００６５】
また、上記実施例では、基地局５０の通信部５１に接続されるアンテナは、無線機ごとに、それぞれ接続したが、これに限定されない。例えば、多バンド型のアンテナを用いてもよいし、アンテナチューナを用いてもよい。また、船舶から陸上への送信と、陸上から船舶への送信とで、異なる周波数を用いてもよい。これにより、アンテナの設置場所の条件が緩和される。【００６６】
また、上記実施例では、デジタル変調の一例としてＰＳＫ３１を挙げたが、これに限定されない。例えば、ＲＴＴＹ（Radioteletype）、パケット通信、ＳＳＴＶ等の短波帯で使用可能な狭帯域のデジタル変調を用いてもよい。これにより、短波帯のうち周波数が高い帯域では、よりデータ量の多い通信を行うことができる。【００６７】
また、図示した各部の各構成要素は、必ずしも物理的に図示の如く構成されていることを要しない。すなわち、各部の分散・統合の具体的形態は図示のものに限られず、その全部または一部を、各種の負荷や使用状況等に応じて、任意の単位で機能的または物理的に分散・統合して構成することができる。例えば、上記の実施例では、端末装置８０が基地局５０とともに漁業無線協会７０に設置された場合を示したが、端末装置８０は管理装置１００と通信可能であれば、基地局５０とは異なる場所に設置されてもよい。【００６８】
さらに、各装置で行われる各種処理機能は、ＣＰＵ（またはＭＰＵ、ＭＣＵ（Micro  Controller  Unit）等のマイクロ・コンピュータ）上で、その全部または任意の一部を実行するようにしてもよい。また、各種処理機能は、ＣＰＵ（またはＭＰＵ、ＭＣＵ等のマイクロ・コンピュータ）で解析実行されるプログラム上、またはワイヤードロジックによるハードウェア上で、その全部または任意の一部を実行するようにしてもよいことは言うまでもない。【００６９】
ところで、上記の実施例で説明した各種の処理は、予め用意されたプログラムをコンピュータで実行することで実現できる。そこで、以下では、上記の実施例と同様の機能を有するプログラムを実行するコンピュータの一例を説明する。図５は、管理プログラムを実行するコンピュータの一例を示す説明図である。【００７０】
図５が示すように、コンピュータ２００は、各種演算処理を実行するＣＰＵ２０１と、データ入力を受け付ける入力装置２０２と、モニタ２０３とを有する。また、コンピュータ２００は、記憶媒体からプログラム等を読み取る媒体読取装置２０４と、各種装置と接続するためのインタフェース装置２０５と、他の情報処理装置等と有線または無線により接続するための通信装置２０６とを有する。また、コンピュータ２００は、各種情報を一時記憶するＲＡＭ２０７と、ハードディスク装置２０８とを有する。また、各装置２０１〜２０８は、バス２０９に接続される。【００７１】
ハードディスク装置２０８には、図１に示した受信制御部１３１、特定部１３２および送信制御部１３３の各処理部と同様の機能を有する管理プログラムが記憶される。また、ハードディスク装置２０８には、管理情報記憶部１２１、および、管理プログラムを実現するための各種データが記憶される。入力装置２０２は、例えば、コンピュータ２００の管理者から操作情報等の各種情報の入力を受け付ける。モニタ２０３は、例えば、コンピュータ２００の管理者に対して各種画面を表示する。インタフェース装置２０５は、例えば印刷装置等が接続される。通信装置２０６は、例えば、図１に示した通信部１１０と同様の機能を有しネットワークＮと接続され、基地局５０と管理情報等の各種情報をやりとりする。【００７２】
ＣＰＵ２０１は、ハードディスク装置２０８に記憶された各プログラムを読み出して、ＲＡＭ２０７に展開して実行することで、各種の処理を行う。また、これらのプログラムは、コンピュータ２００を図１に示した受信制御部１３１、特定部１３２および送信制御部１３３として機能させることができる。【００７３】
なお、上記の管理プログラムは、必ずしもハードディスク装置２０８に記憶されている必要はない。例えば、コンピュータ２００が読み取り可能な記憶媒体に記憶されたプログラムを、コンピュータ２００が読み出して実行するようにしてもよい。コンピュータ２００が読み取り可能な記憶媒体は、例えば、ＣＤ−ＲＯＭやＤＶＤディスク、ＵＳＢ（Universal  Serial  Bus）メモリ等の可搬型記録媒体、フラッシュメモリ等の半導体メモリ、ハードディスクドライブ等が対応する。また、公衆回線、インターネット、ＬＡＮ等に接続された装置にこの管理プログラムを記憶させておき、コンピュータ２００がこれらから管理プログラムを読み出して実行するようにしてもよい。
【符号の説明】
【００７４】
１  管理システム
１０  移動端末
１１  通信部
１２  記憶部
１３  測位部
１４  表示操作部
１５  制御部
５０  基地局
５１  通信部
５２  制御部
７０  漁業無線協会
８０  端末装置
１００  管理装置
１１０  通信部
１２０  記憶部
１２１  管理情報記憶部
１３０  制御部
１３１  受信制御部
１３２  特定部
１３３  送信制御部
Ｌ  電離層
Ｎ  ネットワーク
【図１】
2015151217.tif 000003
【図２】
2015151217.tif 000004
【図３】
2015151217.tif 000005
【図４】
2015151217.tif 000006
【図５】
2015151217.tif 000007
【手続補正書】
【提出日】平成28年9月23日(2016.9.23)
【手続補正１】
【補正対象書類名】特許請求の範囲
【補正対象項目名】全文
【補正方法】変更
【補正の内容】
【特許請求の範囲】
【請求項１】
移動端末と、複数の基地局と、管理装置とを有する管理システムにおいて、
前記移動端末は、短波を用いて該移動端末の識別情報を含む管理情報を送信する通信部を有し、
前記複数の基地局は、前記移動端末から送信された前記管理情報を受信して、前記管理装置に送信する通信部を有し、
前記管理装置は、
前記複数の基地局のいずれか１つ以上の基地局から送信された前記管理情報を受信する受信部と、
受信した前記管理情報から前記移動端末の識別情報を特定する特定部と、
移動端末の識別情報と該移動端末が所属する管理組織の端末の識別情報が記憶された記憶部を参照して、特定した前記移動端末の識別情報に基づいて、前記移動端末が所属する前記管理組織の端末の識別情報に対応する前記管理組織の端末宛に前記管理情報を送信する送信部と
を有することを特徴とする管理システム。
【請求項２】
前記移動端末はデジタル値にて管理情報を生成する制御部と、前記デジタル値を短波の周波数帯で送信するためのアナログ波形に変換する変換部と、をさらに有し、
前記通信部は、前記変換部にてアナログ波形に変換された管理情報を送信する
ことを特徴とする請求項１記載の管理システム。
【請求項３】
前記複数の基地局のそれぞれの基地局は、短波の周波数帯で送信されたアナログ波形を受信すると、デジタル値に変換する変換部を有する
ことを特徴とする請求項１または請求項２記載の管理システム。
【請求項４】
前記複数の基地局のそれぞれの基地局は、共通の短波の周波数の無線信号を受信可能に設定されていることを特徴とする請求項１乃至請求項３のいずれかに記載の管理システム。
【請求項５】
前記複数の基地局のそれぞれの基地局は複数の受信機を備え、前記共通の周波数が複数設定されている場合に、該複数の受信機のそれぞれは、該複数設定された該共通の短波の周波数のうちのいずれかの周波数の無線信号を受信するように設定されていることを特徴とする請求項１乃至請求項４のいずれかに記載の管理システム。
【請求項６】
前記管理装置は、受信した前記管理情報に含まれる識別情報と所定時間の範囲内に前記管理組織の端末に送信済みの管理情報に含まれる識別情報とが同一である場合には、受信した前記管理情報を前記管理組織の端末に送信しない制御を実行することを特徴とする請求項１乃至請求項５のいずれかに記載の管理システム。
【請求項７】
前記移動端末は船舶に設置されることを特徴とする請求項１乃至請求項６のいずれかに記載の管理システム。
【請求項８】
前記移動端末の通信部は、前記移動端末の位置および管理情報を送信する時間帯のいずれか１つ以上に応じて前記短波の周波数を決定することを特徴とする請求項１乃至請求項７のいずれかに記載の管理システム。
【請求項９】
移動端末が有する通信部から短波を用いて送信された該移動端末の識別情報を含む管理情報を受信した複数の基地局のいずれか１つ以上から送信された前記管理情報を受信し、
受信した前記管理情報から前記移動端末の識別情報を特定し、
移動端末の識別情報と該移動端末が所属する管理組織の端末の識別情報が記憶された記憶部を参照して、特定した前記移動端末の識別情報に基づいて、前記移動端末が所属する前記管理組織の端末の識別情報に対応する前記管理組織の端末宛に前記管理情報を送信する
処理をコンピュータが実行することを特徴とする管理方法。
【請求項１０】
第１のネットワークを用いて、同一周波数の短波を受信可能に設定する複数の基地局と、
前記第１のネットワークとは異なる第２のネットワークを用いて、前記複数の基地局の内、少なくとも一つの基地局から送信された情報を受信する情報処理装置と
を含む管理システム。
【国際調査報告】
2015151217.tif 000008
2015151217.tif 000009
2015151217.tif 000010
2015151217.tif 000011